(57)【要約】【課題】発泡材１０６の突出部１０６Ａの被清掃体への接触圧を高める。【解決手段】発泡により発泡材１０６の内部に形成された複数の空洞１０６Ｃが、軸部１０４の径方向Ｒに沿って長さを有しているので、複数の空洞１０６Ｃが軸部１０４の軸方向Ｓ又は周方向に沿って長さを有する場合と比べ、突出部１０６Ａの被清掃体への接触圧が高まる。【選択図】図４
2011145410.tif 000002
【特許請求の範囲】
【請求項１】
軸部と、
前記軸部の軸方向に対して斜めに前記軸部の外周に取り付けられ、前記軸部の軸方向に沿った断面において前記軸部の径方向外側へ突出する突出部を有し、内部に形成された複数の空洞が前記軸部の軸方向に沿った長さよりも前記軸部の径方向に沿った長さの方が長い長さを有する多孔質材と、
を備え、前記突出部を被清掃体に接触させて該被清掃体を清掃する清掃体。
【請求項２】
請求項１に記載の清掃体の前記軸部を回転可能に支持する支持部材と、
回転する前記被清掃体に前記多孔質材の突出部が接触して従動回転し、前記被清掃体を清掃する前記清掃体と、
を備える清掃装置。
【請求項３】
請求項２に記載の清掃装置と、
回転する前記被清掃体としての帯電体と、
を備える帯電装置。
【請求項４】
請求項２に記載の清掃装置と、
被帯電体と、
前記被帯電体を帯電させ、回転する前記被清掃体としての帯電体と、
が装置本体に一体に着脱可能に組み立てられた組立体。
【請求項５】
請求項２に記載の清掃装置と、
像を保持可能な像保持体と、
前記像保持体を帯電させ、回転する前記被清掃体としての帯電体と、
前記帯電体によって帯電した前記像保持体を露光し、静電潜像を形成する露光装置と、
前記露光装置によって前記像保持体に形成された静電潜像を現像する現像装置と、
を備える画像形成装置。
【発明の詳細な説明】
【技術分野】
【０００１】
本発明は、清掃体、清掃装置、帯電装置、組立体及び画像形成装置に関する。
【背景技術】
【０００２】
特許文献１には、各種樹脂からなる円筒状発泡体２２と、この円筒状発泡体２２の中心軸方向に沿って位置する芯材２４とからなるトナー供給ローラにおいて、前記円筒状発泡体２２の発泡方向を、前記芯材２４の軸方向に対して２０〜７０°の範囲に設定される構成が開示されている。
【０００３】
特許文献２には、クリーニング手段を、帯電ローラの軸線方向に延在して該ローラ表面に当接する螺旋状の弾性部材で構成してなる帯電ローラのクリーニング装置が開示されている。
【先行技術文献】
【特許文献】
【０００４】
【特許文献１】特開２００６−１０６３５２号公報（図１）
【特許文献２】特開平８−１３７２０８号公報（図１）
【発明の概要】
【発明が解決しようとする課題】
【０００５】
本発明は、軸部の径方向外側へ突出する多孔質材の突出部を被清掃体に接触させて該被清掃体を清掃する構成において、その突出部の被清掃体への接触圧を高めることを課題とする。
【課題を解決するための手段】
【０００６】
請求項１の発明は、軸部と、前記軸部の軸方向に対して斜めに前記軸部の外周に取り付けられ、前記軸部の軸方向に沿った断面において前記軸部の径方向外側へ突出する突出部を有し、内部に形成された複数の空洞が前記軸部の軸方向に沿った長さよりも前記軸部の径方向に沿った長さの方が長い長さを有する多孔質材と、を備え、前記突出部を被清掃体に接触させて該被清掃体を清掃する清掃体である。
【０００７】
請求項２の発明は、請求項１に記載の清掃体の前記軸部を回転可能に支持する支持部材と、回転する前記被清掃体に前記多孔質材の突出部が接触して従動回転し、前記被清掃体を清掃する前記清掃体と、を備える清掃装置である。
【０００８】
請求項３の発明は、請求項２に記載の清掃装置と、回転する前記被清掃体としての帯電体と、を備える帯電装置である。
【０００９】
請求項４の発明は、請求項２に記載の清掃装置と、被帯電体と、前記被帯電体を帯電させ、回転する前記被清掃体としての帯電体と、が装置本体に一体に着脱可能に組み立てられた組立体である。
【００１０】
請求項５の発明は、請求項２に記載の清掃装置と、像を保持可能な像保持体と、前記像保持体を帯電させ、回転する前記被清掃体としての帯電体と、前記帯電体によって帯電した前記像保持体を露光し、静電潜像を形成する露光装置と、前記露光装置によって前記像保持体に形成された静電潜像を現像する現像装置と、を備える画像形成装置である。
【発明の効果】
【００１１】
本発明の請求項１の構成によれば、多孔質材の内部に形成された空洞が軸部の径方向に沿って長さを有さない場合に比べ、軸部の径方向外側へ突出する多孔質材の突出部の被清掃体への接触圧が高まる。
【００１２】
本発明の請求項２の構成によれば、多孔質材の内部に形成された空洞が軸部の径方向に沿って長さを有さない場合に比べ、軸部の径方向外側へ突出する多孔質材の突出部の被清掃体への接触圧が高まる。
【００１３】
本発明の請求項３の構成によれば、多孔質材の内部に形成された空洞が軸部の径方向に沿って長さを有さない場合に比べ、帯電体を清掃する清掃体の清掃性が向上する。
【００１４】
本発明の請求項４の構成によれば、多孔質材の内部に形成された空洞が軸部の径方向に沿って長さを有さない場合に比べ、帯電体を清掃する清掃体の清掃性が向上する。
【００１５】
本発明の請求項５の構成によれば、多孔質材の内部に形成された空洞が軸部の径方向に沿って長さを有さない場合に比べ、帯電体の汚れによる画像劣化を抑制できる。
【図面の簡単な説明】
【００１６】
【図１】図１は、本実施形態に係る画像形成装置の構成を示す概略図である。
【図２】図２は、本実施形態に係る清掃装置の構成を示す概略図である。
【図３】図３は、本実施形態に係る清掃体の構成を示す概略図である。
【図４】図４は、本実施形態に係る発泡材における軸部の軸方向に沿った断面を示す図である。
【図５】図５は、本実施形態に係る発泡材の原反を示す斜視図である。
【図６】図６は、図５に示す原反から切り出された板体を示す斜視図である。
【図７】図７は、図６に示す板体から切り出された帯体を示す斜視図である。
【図８】図８は、図７に示す帯体を軸部に巻きつける様子を示した斜視図である。
【図９】図９は、複数の空洞が軸部の軸方向に沿って長さを有する比較例の発泡材の断面を示す図である。
【図１０】図１０は、図９に示す比較例において、原反から切り出された板体及び帯体を示す斜視図である。
【図１１】図１１は、図１０に示す帯体を軸部に巻きつける様子を示した斜視図である。
【図１２】図１２は、複数の空洞が軸部の周方向に沿って長さを有する比較例の発泡材の断面を示す図である。
【図１３】図１３は、図１２に示す比較例において、原反から切り出された板体及び帯体を示す斜視図である。
【図１４】図１４は、図１３に示す帯体を軸部に巻きつける様子を示した斜視図である。
【図１５】図１５は、清掃体の清掃動作を説明するための説明図である。
【図１６】図１６は、発泡材を環状に形成した変形例を示す概略図である。
【発明を実施するための形態】
【００１７】
以下に、本発明に係る実施形態の一例を図面に基づき説明する。
【００１８】
（本実施形態に係る画像形成装置の構成）
【００１９】
まず、本実施形態に係る画像形成装置の構成を説明する。図１は、本実施形態に係る画像形成装置の構成を示す概略図である。なお、図中に示す矢印ＵＰは鉛直方向上方を示す。
【００２０】
画像形成装置１０の装置本体１０Ａの内部には、図１に示すように、入力される画像データに対して画像処理を行なう画像処理部１２が設けられている。
【００２１】
この画像処理部１２は、入力された画像データをイエロー（Ｙ）、マゼンタ（Ｍ）、シアン（Ｃ）、ブラック（Ｋ）の４色の階調データに処理するようになっており、この処理された階調データを受け取って、レーザ光ＬＢによる画像露光を行う露光装置１４が装置本体１０Ａ内の中央に設けられている。
【００２２】
また、露光装置１４の上方には、イエロー（Ｙ）、マゼンタ（Ｍ）、シアン（Ｃ）、ブラック（Ｋ）の４つの画像形成ユニット１６Ｙ、１６Ｍ、１６Ｃ、１６Ｋが、水平方向に間隔をおいて配置されている。なお、Ｙ，Ｍ，Ｃ，Ｋを区別して説明する必要が無い場合は、Ｙ，Ｍ，Ｃ，Ｋを省略して記載することがある。
【００２３】
これらの４つの画像形成ユニット１６Ｙ、１６Ｍ、１６Ｃ、１６Ｋは、すべて同様に構成されており、回転駆動される円柱状の被帯電体の一例としての像保持体１８と、この像保持体１８の外周面を帯電する帯電装置２０と、帯電装置２０により帯電した像保持体１８の外周面に露光装置１４の画像露光によって形成された静電潜像を、各色のトナーで現像してトナー画像として可視化する現像装置２２と、像保持体１８の外周面を清掃する清掃部材２４と、を含んで構成されている。
【００２４】
像保持体１８は、形成される像を保持可能に構成されており、具体的には、感光体で構成されている。帯電装置２０は、像保持体１８の外周面を帯電する帯電体の一例としての帯電ロール２３と、帯電ロール２３を清掃する清掃装置１００と、を備えて構成されている。
【００２５】
帯電ロール２３は、像保持体１８の外周面に接触して回転し、像保持体１８の外周面を帯電するようになっている。なお、帯電ロール２３は、清掃装置１００よって清掃される被清掃体の一例である。なお、清掃装置１００の具体的構成は、後述する。
【００２６】
各画像形成ユニット１６Ｙ、１６Ｍ、１６Ｃ、１６Ｋは、装置本体１０Ａに着脱可能に構成されており、装置本体１０Ａに一体に着脱可能に組み立てられた組立体として機能する。なお、組立体としては、少なくとも、像保持体１８、帯電ロール２３及び清掃装置１００を備えていればよい。
【００２７】
また、画像形成ユニット１６Ｙ、１６Ｍ、１６Ｃ、１６Ｋは、ユニット化されずに、例えば、共通の支持フレームに支持され、装置本体１０Ａに着脱されない構成であってもよい。されない構成であってもよい。
【００２８】
また、露光装置１４には、４つの画像形成ユニット１６Ｙ、１６Ｍ、１６Ｃ、１６Ｋに共通に構成された、図示しない４つの半導体レーザが設けられており、これらの半導体レーザからレーザ光ＬＢ−Ｙ、ＬＢ−Ｍ、ＬＢ−Ｃ、ＬＢ−Ｋが階調データに応じて出射されるようになっている。
【００２９】
なお、半導体レーザから出射されたレーザ光ＬＢ−Ｙ、ＬＢ−Ｍ、ＬＢ−Ｃ、ＬＢ−Ｋは、図示しないｆ−θレンズを介して回転多面鏡であるポリゴンミラー２６に照射され、このポリゴンミラー２６によって偏向走査されるようになっている。そして、このポリゴンミラー２６によって偏向走査されたレーザ光ＬＢ−Ｙ、ＬＢ−Ｍ、ＬＢ−Ｃ、ＬＢ−Ｋは、図示しない結像レンズ及び複数枚のミラーを介して、像保持体１８上の露光ポイントに、斜め下方から走査露光されるようになっている。
【００３０】
また、この露光装置１４は、その周囲が直方体状の筐体２８によって密閉されている。そして、筐体２８の上部には、４本のレーザ光ＬＢ−Ｙ、ＬＢ−Ｍ、ＬＢ−Ｃ、ＬＢ−Ｋを、画像形成ユニット１６Ｙ、１６Ｍ、１６Ｃ、１６Ｋの像保持体１８上に向けて透過させる透光部材３０Ｙ、３０Ｍ、３０Ｃ、３０Ｋが設けられている。
【００３１】
一方、各画像形成ユニット１６Ｙ、１６Ｍ、１６Ｃ、１６Ｋの上方には、一次転写ユニット２１が設けられている。この一次転写ユニット２１は、無端状の中間転写ベルト３２と、中間転写ベルト３２が巻き掛けられ、回転駆動して中間転写ベルト３２を矢印方向に周回させる駆動ロール４０と、中間転写ベルト３２が巻き掛けられ、中間転写ベルト３２に張力を付与する張力付与ロール３６と、中間転写ベルト３２の外周面を清掃する清掃部材３８と、中間転写ベルト３２を挟んで像保持体１８Ｙ、１８Ｍ、１８Ｃ、１８Ｋの反対側に配置される一次転写ロール３４Ｙ、３４Ｍ、３４Ｃ、３４Ｋと、を含んで構成されている。
【００３２】
そして、この４つの一次転写ロール３４Ｙ、３４Ｍ、３４Ｃ、３４Ｋによって、画像形成ユニット１６Ｙ、１６Ｍ、１６Ｃ、１６Ｋの像保持体１８上に順次形成されたイエロー（Ｙ）、マゼンタ（Ｍ）、シアン（Ｃ）、ブラック（Ｋ）の各色のトナー画像が、中間転写ベルト３２上に、多重に転写される構成となっている。
【００３３】
また、中間転写ベルト３２を挟んで駆動ロール４０の反対側には、二次転写ロール４２が設けられている。中間転写ベルト３２上に多重に転写されたイエロー（Ｙ）、マゼンタ（Ｍ）、シアン（Ｃ）、ブラック（Ｋ）の各色のトナー画像は、中間転写ベルト３２により搬送され、駆動ロール４０と二次転写ロール４２に挟まれ、搬送経路５６に沿って搬送される記録媒体Ｐに二次転写されるようになっている。
【００３４】
さらに、二次転写ロール４２に対して記録媒体Ｐの搬送方向下流側（以下単に下流側と言う）には、記録媒体Ｐに転写されたトナー画像を熱及び圧力により記録媒体Ｐに定着する定着装置４４が設けられている。
【００３５】
また、定着装置４４の下流側には、トナー画像が定着した記録媒体Ｐを画像形成装置１０の装置本体１０Ａの上部に設けられた排出部４８に排出する排出ロール４６が設けられている。
【００３６】
一方、画像形成装置１０の装置本体１０Ａ内の下側には、記録媒体Ｐが収容される収容部５０が設けられている。さらに、この収容部５０に収容された記録媒体Ｐを搬送経路５６へ送り出す送出ロール５２が設けられ、送出ロール５２の下流側には、記録媒体Ｐを１枚ずつ分離して搬送する分離ロール５４が設けられている。また、分離ロール５４の下流側には、搬送タイミングを合わせる位置合せロール５８が設けられている。これにより、収容部５０から送り出された記録媒体Ｐは、予め定められたタイミングで位置合せロール５８によって中間転写ベルト３２と二次転写ロール４２とが接する位置（二次転写位置）へ搬送される構成となっている。
【００３７】
さらに、排出ロール４６の隣りには、定着装置４４によって片面に画像が定着された記録媒体Ｐを、排出ロール４６によって排出部４８に排出せずに、両面用搬送経路６２に搬送する搬送ロール６０が設けられている。これにより、両面用搬送経路６２に沿って搬送される記録媒体Ｐは、 表裏が反転された状態で、位置合せロール５８へと再度搬送され、今度は、記録媒体Ｐの裏面にトナー画像が転写・定着されて排出部４８上に排出されるようになっている。
【００３８】
この構成により、以下のように記録媒体Ｐに画像が形成される。
【００３９】
先ず、画像処理部１２から露光装置１４に各色の階調データが順次出力され、この露光装置１４から階調データに応じて出射されたレーザ光ＬＢ−Ｙ、ＬＢ−Ｍ、ＬＢ−Ｃ、ＬＢ−Ｋは、帯電装置２０（帯電ロール２３）によって帯電した像保持体１８の外周面に走査露光され、像保持体１８の外周面に静電潜像が形成される。像保持体１８上に形成された静電潜像は、現像装置２２Ｙ、２２Ｍ、２２Ｃ、２２Ｋによって、それぞれイエロー（Ｙ）、マゼンタ（Ｍ）、シアン（Ｃ）、ブラック（Ｋ）の各色のトナー画像として可視化される。
【００４０】
さらに、画像形成ユニット１６Ｙ、１６Ｍ、１６Ｃ、１６Ｋの上方に渡って配置された一次転写ユニット２１の一次転写ロール３４によって、像保持体１８上に形成されたイエロー（Ｙ）、マゼンタ（Ｍ）、シアン（Ｃ）、ブラック（Ｋ）の各色のトナー画像が、周回する中間転写ベルト３２上に多重に転写される。
【００４１】
また、周回する中間転写ベルト３２上に多重に転写された各色のトナー画像は、二次転写ロール４２により、収容部５０から送出ロール５２、分離ロール５４、位置合せロール５８によって搬送経路５６で搬送された記録媒体Ｐに二次転写される。
【００４２】
さらに、トナー画像が転写された記録媒体Ｐは、定着装置４４へと搬送される。記録媒体Ｐに転写されたトナー画像は、定着装置４４によって記録媒体Ｐに定着され、定着された後、画像形成装置１０の装置本体１０Ａの上部に設けられた排出部４８に排出ロール４６によって排出される。
【００４３】
さらに、記録媒体Ｐの両面に画像を形成させる場合は、定着装置４４によって片面に画像が定着された記録媒体Ｐを、排出ロール４６によって排出部４８に排出せずに、搬送方向を切り替え、搬送ロール６０を介して両面用搬送経路６２へと搬送する。そして、両面用搬送経路６２に沿って記録媒体Ｐを搬送することで、記録媒体Ｐの表裏が反転され、記録媒体Ｐが再度位置合せロール５８へと搬送される。今度は、記録媒体Ｐの裏面にトナー画像が転写・定着され、転写・定着された後、排出部４８上に排出ロール４６によって排出される。
【００４４】
（本実施形態に係る清掃装置の構成）
次に、本実施形態に係る清掃装置の構成を説明する。図２は、本実施形態に係る清掃装置の構成を示す概略図である。
【００４５】
本実施形態に係る清掃装置１００は、図２に示すように、被清掃体の一例としての帯電ロール２３を清掃する清掃体１０２を備えている。清掃体１０２は、帯電ロール２３の軸方向に沿って配置された軸部１０４と、軸部１０４の外周に螺旋状に巻き付けられた多孔質材の一例としての発泡材１０６と、を備えている。
【００４６】
軸部１０４は、円柱状に、かつ、金属材で形成されており、帯電ロール２３の軸方向に沿って長さを有している。
【００４７】
発泡材１０６は、例えば、ウレタン樹脂等で形成されたスポンジとして構成され、帯状に形成されると共に弾性変形可能とされている。発泡材１０６は、接着剤、両面テープなどの接着材により、軸部１０４の外周にその軸方向一端部から他端部にわたって固定されている。
【００４８】
軸部１０４の軸方向両端部には、図３に示すように、発泡材１０６の長手方向端部を軸部１０４との間で押さえる円筒状の押え部材１０８がそれぞれ設けられている。この押え部材１０８は、軸部１０４に固定されており、軸部１０４と一体に回転するようになっている。押え部材１０８を回転可能に支持する支持部材１１０が、図２に示すように、側板１１２に形成された固定部１１４に固定されている。なお、本実施形態では、帯電ロール２３は、支持部材１１０によって回転可能に支持され、像保持体１８は、側板１１２に対して回転可能に支持されている。
【００４９】
発泡材１０６は、図４に示すように、軸部１０４の軸方向Ｓに沿った断面において、４辺（曲線を含む）で囲まれた四辺形状とされており、軸部１０４の軸方向Ｓにおける両端部で径方向Ｒ外側へ突出する突出部１０６Ａを有している。この突出部１０６Ａは、例えば、発泡材１０６に対して張力を付与することにより、発泡材１０６の外周面（図４における上面）の中央部１０６Ｂと、両端部１０６Ａとで外径差を生じさせることで形成される。なお、発泡材１０６は、その巻き方向と直交する方向（図３におけるＺ方向）に沿った断面においても、同様に、４辺（曲線を含む）で囲まれた四辺形状とされており、その幅方向における両端部で径方向Ｒ外側へ突出する突出部１０６Ａを有している。
【００５０】
清掃体１０２では、発泡材１０６の突出部１０６Ａ及び外周面（図４における上面）が帯電ロール２３に接触して、軸部１０４が従動回転するようになっている。これにより、その発泡材１０６の外周面が、帯電ロール２３の外周面を払拭すると共に、発泡材１０６の突出部１０６Ａが異物を掻き取ることにより、異物が除去されるように構成されている。
【００５１】
ここで、本実施形態に係る発泡材１０６は、発泡により内部に形成された複数の空洞（セル）１０６Ｃが、軸部１０４の径方向Ｒに沿って長さを有している。すなわち、発泡材１０６の複数の空洞（セル）１０６Ｃは、軸部１０４の軸方向Ｓに沿った方向よりも軸部１０４の径方向Ｒに向いた方向の長さの方が長い発砲構造を成している。尚、複数の空洞（セル）１０６Ｃの中には、前述の説明とは異なる空洞（セル）も存在することがあるが、全体としては前述の方向に向いた長さを有している空洞（セル）が多い。
【００５２】
このように、発泡材１０６の空洞１０６Ｃの長さ方向が軸部１０４に対して規定される清掃体１０２の製造方法について、以下に説明する。
【００５３】
まず、図５に示すように、発泡材１０６の原反１５０を用意する。この原反１５０では、空洞１０６Ｃは、側面視にて一方向（図５における上下方向）へ長さを有する孔形状とされ、平面視にて円形状とされている。すなわち、空洞１０６Ｃは、楕円体（ラグビーボール）形状をしている。
【００５４】
次に、図６（Ａ）に示すように、原反１５０から板体１５２に切り出す。このとき、図５における二点鎖線に沿って原反１５０を切断することにより、板体１５２の板面（図６（Ａ）における上下面）１５２Ａを平面視したときに空洞１０６Ｃが円形状となると共に、端面１５２Ｂを側面視したときに空洞１０６Ｃが長孔形状となるように、板体１５２が切り出される。
【００５５】
次に、図７に示すように、板体１５２から帯体１５４を切り出す。このとき、帯体１５４の帯面（図７における上下面）１５４Ａを平面視したときに空洞１０６Ｃが円形状となると共に、側面１５４Ｂ及び端面１５４Ｃを側面視したときに空洞１０６Ｃが長孔形状となるように、帯体１５４が切り出される。また、帯体１５４は、図６（Ｂ）に示すように、板体１５２の側端１５２Ｃに対して斜めに切断することにより、帯体１５４が平面視にて、平行四辺形（正方形・長方形を除く）に形成されている。このように、帯体１５４を平行四辺形とするのは、下記のように軸部１０４に巻き付けた際、帯体１５４の端部が軸部１０４の軸方向端部とを揃えるようにするためである（図８における軸部１０４の右端部参照）。なお、帯体１５４は、長方形状に切り出しても構わない。
【００５６】
次に、図８に示すように、帯体１５４を軸部１０４に螺旋状に巻き付ける。このとき、帯体１５４の帯面１５４Ａが、軸部１０４の外周面に対向するように、帯体１５４が軸部１０４に巻かれ、接着剤、両面テープなどの接着材により軸部１０４の外周に接着される。
【００５７】
次に、押え部材１０８を軸部１０４の軸方向両端部に取り付けて、軸部１０４に巻き付けられた帯体１５４の長手方向両端部を押さえる。これにより、清掃体１０２が製造される。
【００５８】
なお、以下のように、原反１５０からの切り出し方を変えることにより、発泡材１０６の複数の空洞１０６Ｃが軸部１０４の軸方向Ｓ（図９参照）又は周方向Ｃ（図１２参照）に沿って長さを有する比較例に係る清掃体が製造される。
【００５９】
まず、図１０（Ａ）及び図１３（Ａ）に示すように、原反１５０から板体２５２を切り出す。このとき、図５における破線に沿って原反１５０を切断することにより、板体２５２の板面（図１０（Ａ）及び図１３（Ａ）における側面）２５２Ａ及び側端面２５２Ｂを側面視したときに空洞１０６Ｃが長孔形状となると共に、上下端面２５２Ｃを平面視したときに空洞１０６Ｃが円形状となるように、板体２５２が切り出される。
【００６０】
次に、図９に示す比較例では、図１０（Ｂ）に示すように、帯体２５４の帯面２５４Ａ及び端面２５４Ｃを側面視したときに、空洞１０６Ｃが帯体２５４の幅方向に沿って長さを有し、図１０（Ｂ）における上下面２５４Ｂを平面視したときに空洞１０６Ｃが円形状となるように、板体２５２から帯体２５４を切り出す。
【００６１】
次に、図１１に示すように、帯体２５４を軸部１０４に螺旋状に巻き付ける。このとき、帯体２５４の帯面２５４Ａが、軸部１０４の外周面に対向するように、帯体２５４が軸部１０４に巻かれ、接着剤、両面テープなどの接着材により軸部１０４の外周に接着される。
【００６２】
次に、押え部材１０８を軸部１０４の軸方向両端部に取り付けて、軸部１０４に巻き付けられた帯体２５４の長手方向両端部を押さえる。これにより、図９に示す比較例に係る清掃体が製造される。
【００６３】
一方、図１２に示す比較例では、図１３（Ｂ）に示すように、帯体２５５の帯面２５５Ａ及び側面２５５Ｂを側面視したときに、空洞１０６Ｃが帯体２５５の長手方向に沿って長さを有し、端面２５５Ｃを平面視したときに空洞１０６Ｃが円形状となるように、板体２５２から帯体２５５を切り出す。
【００６４】
次に、図１４に示すように、帯体２５５を軸部１０４に螺旋状に巻き付ける。このとき、帯体２５５の帯面２５５Ａが、軸部１０４の外周面に対向するように、帯体２５５が軸部１０４に巻かれ、接着剤、両面テープなどの接着材により軸部１０４の外周に接着される。
【００６５】
次に、押え部材１０８を軸部１０４の軸方向両端部に取り付けて、軸部１０４に巻き付けられた帯体２５５の長手方向両端部を押さえる。これにより、図１２に示す比較例に係る清掃体が製造される。
【００６６】
（本実施形態の作用）
次に、本実施形態の作用を説明する。
【００６７】
本実施形態では、中間転写ベルト３２に転写されずに像保持体１８に残留した現像剤等の異物は、清掃部材２４によって像保持体１８から除去される。
【００６８】
現像剤の成分中で粒子径が比較的小さい外添剤等の異物は、清掃部材２４をすり抜ける。清掃部材２４をすり抜けた外添剤等の異物は、帯電ロール２３の表面に付着する。
【００６９】
帯電ロール２３の表面に付着した異物は、発泡材１０６の突出部１０６Ａ及び外周面（図４における上面）が帯電ロール２３に接触し、その発泡材１０６の外周面が、帯電ロール２３の外周面を払拭すると共に、発泡材１０６の突出部１０６Ａが異物を掻き取ることにより除去される。
【００７０】
具体的には、図１５（Ａ）（Ｂ）に示されるように、矢印方向に回転する帯電ロール２３の外周面に付着した外添剤等の異物は、従動回転する清掃体１０２の発泡材１０６における突出部１０６Ａが帯電ロール２３の外周面に押されて発泡材１０６の高さ方向（図１５（Ａ）に示すＧ方向）と、幅方向（図１５（Ａ）に示すＨ方向）とに弾性変形（弾性圧縮）することで、発泡材１０６に押されて凝集する。そして、図１５（Ｃ）に示されるように、凝集した外添剤等の異物は、従動回転する清掃体１０２の発泡材１０６における帯電ロール２３が復元することで、この復元力より、密な状態からほぐされたり、帯電ロール２３の外周面からはじかれたりする。
【００７１】
ここで、本実施形態では、発泡により発泡材１０６の内部に形成された複数の空洞１０６Ｃが、軸部１０４の径方向Ｒに沿って長さを有しているので、複数の空洞１０６Ｃが軸部１０４の軸方向Ｓ（図９参照）又は周方向Ｃ（図１２参照）に沿って長さを有する比較例と比べ、突出部１０６Ａの剛性（強度）が向上する。これは、図４に示す一点鎖線によって断面された断面積において、柱部分（空洞１０６Ｃ以外の部分）の占める割合が、比較例の場合よりも多いためである。すなわち、帯電ロール２３から圧縮荷重を受け止める柱部分（空洞１０６Ｃ以外の部分）の占める割合が、比較例の場合よりも多いためである。
【００７２】
突出部１０６Ａの強度が向上することにより、突出部１０６Ａの帯電ロール２３に対する接触圧が高まり、帯電ロール２３を清掃する清掃性が向上する。また、発泡材１０６の全体のへたりも抑制され、発泡材１０６の寿命が延びる。
【００７３】
なお、上記実施形態では、清掃装置１００は、帯電ロール２３に対して設けられていたが、他の部材、例えば、一次転写ロール３４、二次転写ロール４２、像保持体１８、中間転写ベルト３２の表面又は裏面に対して設けられていてもよい。
【００７４】
また、上記実施形態では、発泡材１０６は、軸部１０４の軸方向一端部から他端部にかけて一続きで螺旋状に巻き付けられていたが、軸部１０４の軸方向に対して斜めに軸部１０４の外周に取り付けられるものであれば、例えば、軸部１０４の軸方向一端部から他端部までの間で複数に分割されて軸部１０４に巻き付けられていてもよい。また、発泡材１０６は、軸部１０４の軸方向に対して斜めに軸部１０４の外周に取り付けられるものであれば、例えば、図１６に示すように、軸部１０４の全周を囲むように環状に形成された複数のものであってもよい。これには、例えば、円筒状に形成された発泡材をその軸方向に対して斜めに切断することで形成される。
【００７５】
本発明は、上記の実施形態に限るものではなく、種々の変形、変更、改良が可能である。
【符号の説明】
【００７６】
１０   画像形成装置
１０Ａ 装置本体
１４   露光装置
１６Ｙ 画像形成ユニット（組立体の一例）
１８   像保持体（被帯電体の一例）
２０   帯電装置
２３   帯電ロール（被清掃体の一例、帯電体の一例）
２２   現像装置
１００ 清掃装置
１０２ 清掃体
１０４ 軸部
１０６Ｃ      空洞
１０６Ａ      突出部
１０６ 発泡材（多孔質材の一例）
１１０ 支持部材
【図１】
2011145410.tif 000003
【図２】
2011145410.tif 000004
【図３】
2011145410.tif 000005
【図４】
2011145410.tif 000006
【図５】
2011145410.tif 000007
【図６】
2011145410.tif 000008
【図７】
2011145410.tif 000009
【図８】
2011145410.tif 000010
【図９】
2011145410.tif 000011
【図１０】
2011145410.tif 000012
【図１１】
2011145410.tif 000013
【図１２】
2011145410.tif 000014
【図１３】
2011145410.tif 000015
【図１４】
2011145410.tif 000016
【図１５】
2011145410.tif 000017
【図１６】
2011145410.tif 000018